(57)【要約】【課題】容器の口筒部に計量カップ、取付キャップを装着したまま、単にオーバーキャップを開くだけで、詰め替え容器から新しい内容液を充填できるようにした計量カップ付容器を提供すること。【解決手段】カップ本体と操作部とからなる計量カップを、取付キャップを介して容器に取着した計量カップ付容器であって、カップ本体が、下端に開口を穿設した側周壁と上端に連通孔を設けた連通管を立設した底壁とを具備しており、操作部が、下端に側周壁開口を開閉する開口を穿設した内筒を具備し、カップ本体に対して廻動自在となっていることを特徴とする。【選択図】        図１
2004231283.tif 000002
【特許請求の範囲】
【請求項１】
カップ本体と操作部とからなる計量カップを、取付キャップを介して容器に取着した計量カップ付容器であって、
カップ本体が、下端に開口を穿設した側周壁と上端に連通孔を設けた連通管を立設した底壁とを具備しており、
操作部が、下端に側周壁開口を開閉する開口を穿設した内筒を具備し、カップ本体に対して廻動自在となっていることを特徴とする計量カップ付容器。
【請求項２】
計量カップの操作部が、カップ本体を連設した取付キャップに廻動自在に取着されており、
計量カップの注出口を開閉する密封リングを具えたオーバーキャップが、蝶番を介して取付キャップに取着されていることを特徴とする請求項１記載の計量カップ付容器。
【請求項３】
操作部が、透明であることを特徴とする請求項１記載の計量カップ付容器。
【発明の詳細な説明】
【０００１】
【発明の属する技術分野】
本発明は、内容液を詰め替え可能とした計量カップ付容器に関する。
【０００２】
【従来の技術】
容器口筒部に、上端に溢流孔（３１）を具えた溢流筒（２５）を立設した計量カップ（２０）と、カバーキャップ（６０）を取着し、上面に注出口（５０）を具えたキャップ本体（４０）とを装着した計量カップ付容器は、従来より知られている（例えば、特許文献１参照。）。
【０００３】
【特許文献１】
特開平８−２３０９２２号公報
【０００４】
【発明が解決しようとする課題】
しかしながら、上記文献記載の容器は、内容液注出完了時に、詰め替え容器から内容液を詰め替えようとすると、容器口筒部からキャップ本体（４０）とともに、下端にパイプを具えた計量カップ（２０）を取り外さなければならず、取り替え作業が容易でないという問題があった。
【０００５】
また、取り外した計量カップ（２０）を台の上に載せておいたりした場合、計量カッブ、パイプに付着した内容液が、周辺を汚すという問題があった。
【０００６】
本発明は、上記の問題点を解決することを課題として、容器の口筒部に計量カップ、取付キャップを装着したまま、単にオーバーキャップを開くだけで、詰め替え容器から新しい内容液を充填できるようにした計量カップ付容器を提供することを目的とする。
【０００７】
【課題を解決するための手段】
本発明は、上記の課題を解決するため、計量カップ付容器として、カップ本体と操作部とからなる計量カップを、取付キャップを介して容器に取着した計量カップ付容器であって、カップ本体が、下端に開口を穿設した側周壁と上端に連通孔を設けた連通管を立設した底壁とを具備しており、操作部が、下端に側周壁開口を開閉する開口を穿設した内筒を具備し、カップ本体に対して廻動自在となっていることを特徴とする構成を採用する。
【０００８】
計量カップの実施態様として、計量カップの操作部が、カップ本体を連設した取付キャップに廻動自在に取着されており、計量カップの注出口を開閉する密封リングを具えたオーバーキャップが、蝶番を介して取付キャップに取着されていることを特徴とする構成を採用する。
【０００９】
操作部の実施態様として、操作部が、透明であることを特徴とする構成を採用する。
【００１０】
【発明の実施の形態】
次に、本発明の実施形態について、図面を参照して説明する。
図１において、Ａは容器、Ｂは計量カップの取付キャップ、Ｃは取付キャップに取着された計量カップ、Ｄは取付キャップに蝶番を介して取着されたオーバーキャップである。
容器Ａ、取付キャップＢ、計量カップＣ、オーバーキャップＤは、いずれも合成樹脂を素材として成形されている。
【００１１】
容器Ａは、口筒部１と肩部２、胴部３と底部４とからなり、口筒部１は、縮径部５と拡径された外周面６、その下方に設けられた係合突条７とを具えている。
肩部２の周縁には、円形状の段部８が設けられ、肩部２と胴部３の横断面は楕円状となっており、胴部３はスクイズ可能となっている。
【００１２】
取付キャップＢは、嵌合筒１０と上壁１１、上壁１１の周縁に連設された外周壁１２とを具えている。
嵌合筒１０の内面には、口筒部１の外周面６に嵌合する係合面１３が形成され、下端には、係合突条７に係合する環状の係合突条１４が刻設されている。
【００１３】
上壁１１の上面には、外周中間部に係合突条１５を設けた係合リング１６が突設されている。
外周壁１２は、上壁１１の周縁から上下に延びており、下方に延びる下筒１７の下端は、肩部２の段部８に接している。
上方に延びる上筒１８は、オーバーキャップＤの支持部となっており、所定位置には蝶番機構が設けられ、蝶番機構から離れた位置に、位置合わせのための目印１９となる凹部、または印刷マークが刻設されている。
【００１４】
図２、３に示すように、計量カップＣは、カップ本体Ｃ１と操作部Ｃ２とからなっており、カップ本体Ｃ１は、側周壁２０と底壁２１とを具えている。
側周壁２０は、上壁１１の内周縁に沿って垂設されており、その外周面は、口筒部１の内周面に締め代をもって嵌合し、内部を密封している。
【００１５】
底壁２１は、側周壁２０の下端に連設されており、側周壁２０の下端には、一定高さの一対の開口２２が穿設され、底壁２１の周縁より内側には挟持筒２３が立設され、中央部には連通管２４が立設されている。
連通管２４の上端には、複数本の支持杆２５が立設され、その上端には、遮蔽板２６が連設され、支持杆２５の間を通じて連通孔２７が形成されており、連通管２４の下端には、容器底部４に達するパイプ２８が連設されている。
【００１６】
計量カップＣの操作部Ｃ２は、カップ本体Ｃ１の側周壁２０に挿入される内筒３０と上壁３１、取付キャップＢに嵌合される外筒３２とからなっており、操作部Ｃ２は、透明な樹脂で成形されている。
内筒３０は、カップ本体Ｃ１の側周壁２０内面に廻動自在に嵌挿され、下端部は、側周壁２０と挟持筒２３との間に嵌挿されている。
【００１７】
内筒３０の下端には、側周壁２０の開口２２と同形とした開口３３が穿設されており、操作部Ｃ２を廻動させることによって開口２２を開閉することができる。
側周壁２０と底壁２１、側周壁２０に嵌挿された内筒３０、連通管２４によって計量室Ｃ３が構成されている。
【００１８】
上壁３１には、中央に注出口３４が穿設され、その周縁に沿って注出筒３５が穿設されている。
外筒３２は、上壁３１の外周縁から垂設され、その下部には、取付キャップＢの係合リング１６の内周に嵌合する係止リング３６と、該係止リング３６の上端から突出するフランジ３７の周縁から垂設された係合筒３８とを具えている。
【００１９】
フランジ３７の上面には、開口２２と開口３３によって形成される液通路の開閉を示す二つの目印３７ａ、３７ｂが、約９０度離れた位置に付されている。
係合筒３８には、下端に係合リング１６の係合突条１５に係合する係合突条３９が設けられている。
【００２０】
オーバーキャップＤは、蝶番機構Ｄ１を介して取付キャップＢに連設されており、頂壁４０と側周壁４１とを具えている。
頂壁４０には、中心側から外周側に向けて連通管２４の連通孔２７を密封する長尺の密封リング４２、注出口３４を密封する短尺の密封リング４３、および注出筒３５の上端に係合し、密封する係合リング４４が垂設され、頂壁４０の所定の位置から頂壁４０と側周壁４１を通じる切欠溝４５が設けられている。
切欠溝４５の反対側の側周壁４１下端には、摘み４６が設けられている。
【００２１】
蝶番機構Ｄ１は、一対のヒンジ５０と押えばね板５１とを具えている。
ヒンジ５０は、取付キャップＢの外周壁上筒１８の所定の位置に、切欠溝４５とほぼ同一の巾を隔てて立設された二つの支持板５２と、オーバーキャップＤの側周壁４１を接続するように連設されており、押えばね板５１は、切欠溝４５とほぼ同一の巾を有し、下端が外周壁上筒１８の上端に連設され、先端は、オーバーキャップＤの頂壁４０の切欠溝端５３に接続されている。
【００２２】
次に、本発明計量カップ付容器の使用態様と作用効果について説明する。
本計量カップ付容器は、内容液を充填した後に、容器の口筒部１にカップ本体Ｃ１を取着した取付キャップＢを位置合わせして嵌着し、次いで操作部Ｃ２の内筒３０をカップ本体Ｃ１の側周壁２０の内周に嵌挿し、外筒３２下端の係合筒３８を取付キャップＢの係合リング１６に嵌着させることによって、操作部Ｃ２を取付キャップＢに取り付け、閉の目印３７ａを上筒１８上面の目印１９に合わせて、図２に示すように、開口２２と開口３３との間の液通路を閉じておく。
【００２３】
次いで、オーバーキャップＤを閉蓋すると、計量カップＣの上壁３１の注出筒３５および連通管２４の連通孔２７を密封する。
【００２４】
容器Ａの使用にあたって、オーバーキャップＤを開いて、胴部３の短径側壁面を押圧すると、内圧の増加によって内容液がパイプ２８を通じて上昇し、連通管２４から計量カップＣの計量室Ｃ３に流入する。
その際、連通管２４の上方に遮蔽板２６があるので、注出口３４から飛び出すことはない。
【００２５】
内容液が連通孔２７より以上になったとき、胴部３の押圧を止めると連通孔２７より連通管２４を通じて連通孔２７の上部の内容液が胴部３内に戻され、カップ本体Ｃ１には、連通管２４の連通孔２７下端までの内容液が貯留される。
この際、操作部Ｃ２は透明であるので、計量カップＣに入っている内容液の量を外から見ることができる。
次いで、容器を傾けると、計量室Ｃ３内の内容液をすべて注出筒３５より注出することができる。
【００２６】
容器Ａ内の内容液を使い切ったときには、図４に示すように、操作部Ｃ２を約９０度廻動して開の目印３７ｂを目印１９に合わせると、カップ本体Ｃ１の開口２２と内筒３０の開口３３が一致して、液通路が形成される。
次いで、詰め替え容器から新しい内容液を注出口３４から入れると、図４の矢印に示すように、計量カップＣを通じて、液通路から内容液を容器Ａの胴部３に入れることができる。
【００２７】
次いで、操作部Ｃ２を廻動して液通路を閉じると、容器Ａは計量カップ付容器として再び使用することができる。
したがって、内容液を使い切った容器Ａと、計量カップＣ等を廃棄することなく使用でき、また、詰め替え容器は、パウチ、その他薄肉の容器が使用できるので、資源の節減に役立たせることができる。
【００２８】
【発明の効果】
本発明は、上記のように構成されているから、次の効果を奏する。
下部に開口を設けたカップ本体を取付キャップを廻動不能として容器口筒部に取着し、下部にカップ本体の開口を開閉する開口を設けた操作部の内筒を、カップ本体に対して廻動可能に装着したから、開口開放時にカップ本体を通じて新しい内容液を容易に詰め替えることができるようになった。
また、操作部を透明としているので、計量カップ内の内容液を外から見ることができる。
【００２９】
容器、取付キャップ、計量カップ等は、廃棄しないで再使用でき、詰め替え容器は、薄肉の容器、パウチ等を使用するので、樹脂材料の削減に寄与することができる。
【図面の簡単な説明】
【図１】本発明の計量カップ付容器の一部断面立面図である。
【図２】使用中の計量カップ付容器の説明図で、（ａ）は開蓋状態の一部断面立面図、（ｂ）は図（ａ）のＡ−Ａ線における計量カップの断面図である。
【図３】開蓋状態の容器の上面図である。
【図４】詰め替え時の計量カップ付容器の説明図で、（ａ）は開蓋状態の一部断面立面図、（ｂ）は図（ａ）のＡ−Ａ線における計量カップの断面図である。
【符号の説明】
Ａ      容器
Ｂ      取付キャップ
Ｃ      計量カップ
Ｃ１    カップ本体
Ｃ２    操作部
Ｃ３    計量室
Ｄ      オーバーキャップ
Ｄ１    蝶番機構
１      口筒部
２      肩部
３      胴部
４      底部
１０    嵌合筒
１１    上壁
１２    外周壁
１３    係合面
１４    係合突条
１５    係合突条
１６    係合リング
１７    下筒
１８    上筒
２０    側周壁
２１    底壁
２２    開口
２３    挟持筒
２４    連通管
２５    支持杆
２６    遮蔽板
２７    連通孔
２８    パイプ
３０    内筒
３１    上壁
３２    外筒
３３    開口
３４    注出口
３５    注出筒
４０    頂壁
４１    側周壁
４２、４３  密封リング
４４    係合リング
【図１】
2004231283.tif 000003
【図２】
2004231283.tif 000004
【図３】
2004231283.tif 000005
【図４】
2004231283.tif 000006